(57)【要約】【課題】少ない部品点数で安価にて文字板の認識性を向上してなる文字板照明装置を提供すること。 【解決手段】光入射部２０３を備えたプレート状の導光体からなる導光板２００と、光入射部から導光板の内側に光を入射する発光手段３００と、導光板の裏面側に設けられ、発光手段により導光板に入射された光が導光板の正面に放射する第１乱反射手段２０５と、導光板の裏面側に重ねて設けられ、第１乱反射手段を通過して背面側に放射された光を乱反射して導光板側へ放射する第２乱反射手段とを有する文字板照明装置において、第１乱反射手段は、凸状の反射ドットを分布してなり、発光手段による光量が比較的強い領域においては反射ドットの占める面積を疎に設定するとともに、光量が比較的弱い領域においては反射ドットの占める面積を密に設定した。第２乱反射手段は、白色系の紙または白色系の板紙であって、表面に指標が印刷された文字板であることとした。 【選択図】  図６
2011232095.tif 000002
【特許請求の範囲】
【請求項１】
光入射部を備えたプレート状の導光体からなる導光板と、
前記光入射部から前記導光板の内側に光を入射する発光手段と、
前記導光板の裏面側に設けられ、前記発光手段により前記導光板に入射された光が前記導光板の正面に放射する第１乱反射手段と、
前記導光板の裏面側に重ねて設けられ、第１乱反射手段を通過して背面側に放射された光を乱反射して前記導光板側へ放射する第２乱反射手段とを有する文字板照明装置において、
前記第１乱反射手段は、凸状の反射ドットを分布してなるものであり、発光手段による光量が比較的強い領域においては前記反射ドットの占める面積を疎に設定するとともに、前記光量が比較的弱い領域においては前記反射ドットの占める面積を密に設定したものであり、
前記第２乱反射手段は、白色系の紙または白色系の板紙であって、表面に指標が印刷された文字板であることを特徴とする文字板照明装置。
【請求項２】
前記白色系の紙または白色系の板紙は、コート紙であることを特徴とする請求項１記載の文字板照明装置。
【発明の詳細な説明】
【技術分野】
【０００１】
本発明は、時計等の文字板を照明する装置に関するものである。
【背景技術】
【０００２】
従来より、時計等の夜間での時刻表示を容易に認識可能とする装置として、プレート状の導光板の端面部や傍らに発光手段を設け、発光手段より導光板の内部に入射された光が導光板の内部で乱反射されることにより、導光板全体を光らせるものがあった。また、導光板の前面に指標を付けたプレート状の別部材からなる文字板を重ねていた。特許文献１には、この様な構成の時計が開示されている。
【先行技術文献】
【特許文献】
【０００３】
【特許文献１】特開２０００−２９２５５８号公報
【発明の概要】
【発明が解決しようとする課題】
【０００４】
導光板の前面に指標を付けた文字板を重ねるにあたっては、時刻表示を容易に認識可能とするために、当該文字板について、指標などの要点部を中抜きにして、中抜きとした部分だけ光を透過させる方法がある。また、文字板の部材を透明なものとし、当該透明部材上に指標を印刷する方法も考えられる。しかし、いずれの方法も製造コストを押し上げてしまうといった問題が生じる。
【０００５】
本発明が解決しようとする課題は、上記従来技術の問題点を解決し、少ない部品点数で安価にて文字板の認識性を向上してなる文字板照明装置を提供することにある。
【課題を解決するための手段】
【０００６】
本願第１請求項に記載した発明は、光入射部を備えたプレート状の導光体からなる導光板と、前記光入射部から前記導光板の内側に光を入射する発光手段と、前記導光板の裏面側に設けられ、前記発光手段により前記導光板に入射された光が前記導光板の正面に放射する第１乱反射手段と、前記導光板の裏面側に重ねて設けられ、第１乱反射手段を通過して背面側に放射された光を乱反射して前記導光板側へ放射する第２乱反射手段とを有する文字板照明装置において、前記第１乱反射手段は、凸状の反射ドットを分布してなるものであり、発光手段による光量が比較的強い領域においては前記反射ドットの占める面積を疎に設定するとともに、前記光量が比較的弱い領域においては前記反射ドットの占める面積を密に設定したものであり、前記第２乱反射手段は、白色系の紙または白色系の板紙であって、表面に指標が印刷された文字板であることを特徴とする文字板照明装置である。このような構成によると、極めて合理的に少ない部品点数で安価にて文字板の認識性を向上してなる文字板照明装置を提供することが可能である。以下に、その考え方を説明する。
【０００７】
少ない部品点数で安価にて文字板の認識性を向上してなる文字板照明装置を得るには、如何に簡単な構成で文字板の明るさを均一化させ、且つ効率的に光を表面に取り出すかが要点となる。
【０００８】
第１乱反射手段は、導光板の背面側に分布された凸状の反射ドットである。これは、導光板に入射された背面側へ抜けようとする光を正面側へ乱反射させるためのものである。導光板の背面側へ抜ける光を極力防ぐには、導光板の背面側を反射率の高い塗料を塗布するか、金属蒸着処理を施す方法がある。しかし、塗料の塗布や金属蒸着処理を施すには製造コストを上昇させることになり、好ましくは無い。そこで、導光板の背面側に凸状の反射ドットを分布することで、背面へ抜けようとする光を乱反射して正面へ放射させるようにした。
【０００９】
反射ドットは、光入射部より入射された光量が比較的強い領域においては反射ドットの占める面積を疎に設定するとともに、前記光量が比較的弱い領域においては反射ドットの占める面積を密に設定したものである。
【００１０】
即ち、入射部より入射された光は、反射ドットにより乱反射され、正面方向に放射される。光量が比較的強い領域は、反射ドットの占める面積を疎に設定することで反射ドットにより乱反射される光量を減らし、逆に、光量が比較的弱い領域は、反射ドットの占める面積を密に設定することで反射ドットにより乱反射される光量を増やす。これにより、文字板の明るさを均一化させることができる。
【００１１】
第２乱反射手段は、導光板の裏面側に重ねて設けられた白色系の紙または白色系の板紙であって、表面に指標が印刷された文字板である。これは、第１反射手段を通過し、背面側に抜けた光を乱反射させ、再び導光板側へ放射させるものである。第２乱反射手段は白色系の紙材であるが故に反射率が高く、第１反射手段を通過した光を導光板側へ放射させることができる。同時に、指標を印刷することにより文字板とすることができ、部品点数の増加を抑えることができる。更に、指標を印刷するに際して、インクまたは塗料の選択の幅が広いなど、コスト面で有利である。
【００１２】
本願第２請求項に記載した発明は、第２乱反射手段の白色系の紙または白色系の板紙を、コート紙とした文字板照明装置である。これにより、当該部材の強度と耐久性が向上すると同時に、反射率も向上される。
【発明の効果】
【００１３】
本発明によれば、極めて合理的に、少ない部品点数で安価にて文字板の認識性を向上してなる文字板照明装置を提供することが可能である。
【図面の簡単な説明】
【００１４】
【図１】本発明の実施例に係り、文字板照明装置を備えた時計の側面断面図である。
【図２】本発明の実施例に係り、文字板照明装置を備えた時計の側面断面図の要部の拡大図である。
【図３】本発明の実施例に係り、導光板を示す正面図である。
【図４】本発明の実施例に係り、導光板を示す説明図である。
【図５】本発明の実施例に係り、発光手段を示す説明図である。
【図６】本発明の実施例に係り、文字板照明装置を示す分解図である。
【図７】本発明の実施例に係り、文字板を示す正面図である。
【発明を実施するための形態】
【００１５】
以下に、本発明の実施例を図１乃至図７に基づいて説明する。図１に示す時計１は、文字板２１０を照明する文字板照明装置１００を備えたアナログ式の時計である。この時計１は、文字板２１０の前面には導光板２００が重ねられ、更に、指針（時針１１、分針１２、秒針１３）と、これらの指針を駆動させるムーブメント２０とを備え、筐体３０に収納されるものであり、筐体の正面は透明カバー３１に覆われている。
【００１６】
ムーブメント２０は、文字板２１０の背面に設けられており、導光板２００の正面側に突出した指針パイプ２１を介して各指針１１，１２，１３を所定速度で回転させる構成となっている。導光板２００と、文字板２１０の中央には、指針パイプ２１を貫通させる通孔２０１，２１１が設けられている。また、筐体３０に導光板２００と文字板２１０を位置決めする手段として、導光板２００と文字板２１０の要所には、ボス３２及びボス３２を嵌装する孔部２０２，２１２が設けられており、導光板２００と文字板２１０を重ねて嵌装する。
【００１７】
また、文字板の背面には、周囲の明るさを検出する図示しない光センサが設けられており、図示しない制御手段により、周囲が暗くなると発光手段を点灯し、明るくなると消灯する。
【００１８】
本例の文字板照明装置１００は、光入射部２０３を備えたプレート状の導光板２００と、光入射部２０３から導光板２００の内部に光を入射する発光手段３００とを備え、導光板２００の内部に入射した光が導光板２００の裏面に設けられた反射ドットにより乱反射して導光板２００の正面に放射されるものである。また、導光板２００裏面には、少なくとも反射ドットが設けられた部位を覆う白色系の紙または板紙であり、正面には指標が印刷されている。
【００１９】
導光板２００は、図３乃至図４に示すとおり、円形若しくは略円形のものであって、縁部にその周長方向に略等間隔で複数の突片２０４が設けられている。複数の突片２０４は、それぞれに発光手段３００を配し、前記導光板の内側に光を入射する光入射部２０３を形成する。具体的には図５に示すように、突片２０４の先端面は凹状に成形され、当該凹状に成形された部位に発光手段３００を搭載した基板３０１を圧入するものであり、発光手段は、発光ダイオードである。
【００２０】
文字板照明装置１００の発光手段３００は、筐体３０に保持されるようにしてもよいが、図５に示した構成にすれば、発光手段３００が導光板２００の光入射部２０３に対し、容易に所定の間隔と角度を保つように取り付けることができるので、好都合である。
【００２１】
本例の文字板照明装置１００の導光板２００は、図３乃至図４に示すとおり、裏面に第１乱反射手段たる凸状の反射ドット反射ドット２０５を分布してなるものである。反射ドット２０５は、射出成形にて導光板２００と一体に成形された球面、円錐、角錐、角柱、又は円筒形の微細凸部である。反射ドット２０５は、射出成形にて成形された導光板２００に後から透明インクで印刷により成形してもよい。
【００２２】
反射ドット２０５は、導光板２００の背面の略全体に分布されている。反射ドット２０５の占める面積は、光入射部２０３より入射された光量が比較的強い領域においては疎に設定するとともに、前記光量が比較的弱い領域においては密に設定したものである。基本的に、反射ドット２０５の占める面積は、発光手段３００の指向特性を踏まえ、光入射部２０３の近くは疎とし、遠くは密とする。この構成により、導光板２００の正面に放射される光の均一化を図ることができる。
【００２３】
図３で示す黒色部分は反射ドット２０５が施された部位であって、反射ドット２０５の占める面積の密度を、疎の部分は薄く、密の部分は濃く示したものである。図３で示した例では、反射ドット２０５の占める面積の密度は、光入射部２０３の近くは疎とし、遠くへ行くに従い段階的に密になるようにしたが、徐々に変えるようにしてもよい。
【００２４】
導光板２００の背面の略全体に分布させた反射ドット２０５の密度の疎密は、図４に示すとおり反射ドット２０５の大きさを変えることにより現しているが、反射ドット２０５の間隔（ピッチ）を変えることで現してもよい。
【００２５】
次に、第２乱反射手段たる表面に指標が印刷された白色系の紙または白色系の板紙からなる文字板２１０について説明する。材質は、白色系紙材であれば、特に特定する必要は無いが、コート紙が望ましい。コート紙は、ＪＩＳ  Ｐ０００１−１９９８  ６０５９規定されているものであり、本例では、ＰＰコート紙といわれるポリプロピレン樹脂を原紙の表面にコートしたものを用い、表面にシルク印刷により指標を設けた。
【００２６】
文字板２１０の表面形状は、図７に示すとおり、導光板２００と対比して突片を有さない他は略同一である。文字板２１０と導光板２００の要所には、ボス３２及びボス３２を嵌装する孔部２１２，２０２が設けられており、導光板２００と文字板２１０を重ねて嵌装する。これにより、導光板２００の背面側に抜け出た光は、文字板２１０により乱反射され、再び導光板２００に入射され、結果、文字板の前面の光量を増すことができ、文字板の認識性を向上してなる文字板照明装置を得ることができる。
【００２７】
以上説明したように、本例の文字板照明装置は、少ない部品点数で安価にて文字板の認識性を向上するという点で、極めて合理的に構成されたものである。また、本例における各部の構成は、特許請求の範囲に記載した技術的範囲において適宜に設計変更が可能であって、代表的な実施形態の一例として示した上述の説明に限定されるものではない。
【産業上の利用可能性】
【００２８】
本発明によれば、少ない部品点数で安価にて認識性を向上してなる掛け時計や置時計の文字板を照明する装置として、利用可能である。
【符号の説明】
【００２９】
１    時計
１１    時針
１２    分針
１３    秒針
２０    ムーブメント
２１    指針パイプ
３０    筐体
３１    透明カバー
３２    ボス
１００    文字板照明装置
２００    導光板
２０１    通孔
２０２    孔部
２０３    光入射部
２０４    突片
２０５    反射ドット（第１乱反射手段）
２１０    文字板（第２乱反射手段）
２１１    通孔
２１２    孔部
３００    発光手段
３０１    基板
【図１】
2011232095.tif 000003
【図２】
2011232095.tif 000004
【図３】
2011232095.tif 000005
【図４】
2011232095.tif 000006
【図５】
2011232095.tif 000007
【図６】
2011232095.tif 000008
【図７】
2011232095.tif 000009